(57)【要約】【課題】本発明はビデオ・フォーンに関するもので、映像信号が音声線路に誘起されるのを防いで音声出力にノイズが発生せず遠い距離まで映像信号を伝達する。【解決手段】本発明の４線方式のビデオ・フォーンは、映像信号、音声信号、及びドア開閉信号等の内外間の伝達が内側部と外側部を連結する４本の連結線路を介して行われ、外側に居る使用者の映像が内側のＬＣＤモジュール３９２に表示され、外側に居る使用者と内側に居る使用者が会話ができ、内側の使用者によって外側のドアの開閉ができるように構成されている。外側部で入力された映像信号は、外側の映像信号送信部２６２によって１８０°位相差のある映像（＋）と映像（−）に分けられてそれぞれ第３、第４線路を介して内側の映像信号受信部３９１に送られる。外側部と内側部間における音声信号の伝達は、映像（＋）と映像（−）の映像信号が伝達される線路とは異なる第１線路を介して行われる。【選択図】図２
2008092513.tif 000002
【特許請求の範囲】
【請求項１】
内側から提供された電源電圧Ｖｃｃを一定電圧で保持するための外側電源部と、
外側から入力される呼出信号を内側に提供するための外側呼出部と、
外側から入力される音声信号と内側から伝送される音声信号を相互処理するための外側音声ハイブリッド部と、
上記外側音声ハイブリッド部から伝送された音声信号および外側呼出部から伝送された呼出信号を混合して内側に伝送するための外側信号混合部と、
外側のＬＥＤ（Ｌｉｇｈｔ  Ｅｍｉｔｔｉｎｇ  Ｄｉｏｄｅ）を制御するためのＬＥＤ制御部と、
外側から撮影された映像信号を分離して内側に伝送するための映像入力部と、
内側から伝送されたドア開閉信号を遂行するためのドア開閉部を含む外側部と、
電源電圧Ｖｃｃを提供するための内側電源部と、
外側から提供された呼出信号を検出するための呼出検出部と、
上記呼出検出部から検出された呼出信号を通じて呼出音が生成されるように制御するマイコン部と、
内側の音声信号、バック・トーン信号および電源電圧Ｖｃｃを混合して外側に伝送するための内側信号混合部と、
上記マイコン部の制御によって呼出音を生成し内側スピーカーに出力するための呼出音出力部と、
上記呼出音出力部から提供された呼出音出力信号を増幅するためのバック・トーン増幅部と、
外側から提供された音声信号を上記スピーカーに出力し内側から入力された音声信号を外側に伝送するための音声出力部と、
ドア開閉信号を伝送するためのドア開閉信号部と、
内側から分離され入力された映像信号を受信してＬＣＤ（Ｌｉｑｕｉｄ  Ｃｒｙｓｔａｌ  Ｄｉｓｐｌａｙ）モジュールに提供するための映像出力部を含む内側部と、
を含む４線方式のビデオ・フォーン。
【請求項２】
請求項１に記載の４線方式のビデオ・フォーンにおいて、
外側電源部は、
安定化された直流電源が供給されるように制御する直流電源制御部と、
インピーダンスが低い電源回路から音声信号、第１呼出信号、再呼出信号およびバック・トーン信号が減少するのを防ぐためのインピーダンス・マッチング部と、
電源電圧Ｖｃｃが一定な待機電圧に保持されるように調整する電圧調整部と、
を含む４線方式のビデオ・フォーン。
【請求項３】
請求項１に記載の４線方式のビデオ・フォーンにおいて、
外側呼出部は、
呼出スイッチと、
第１呼出信号を発生する第１呼出部と、
上記第１呼出信号が発生された以後に上記呼出スイッチの動作によって再呼出信号を発生する再呼出部と、
を含む４線方式のビデオ・フォーン。
【請求項４】
請求項１に記載の４線方式のビデオ・フォーンにおいて、
映像入力部は、
外側の映像を撮影するためのカメラモジュールと、
上記カメラモジュールで撮影された映像信号を位相差が１８０°であり、映像信号レベルが０．５Ｖｐｐである映像（＋）と映像（−）信号に分離して第３連結線路および第４連結線路に区分して内側に伝送する映像信号送信部と、
を含む４線方式のビデオ・フォーン。
【請求項５】
請求項１に記載の４線方式のビデオ・フォーンにおいて、
内側電源部は、
ビデオ・フォーン駆動のために電源を提供する電源供給部と、
上記電源供給部の出力電圧が安定化された直流電源で供給されるように制御する直流電源制御部と、
インピーダンスが低い電源回路から音声信号、第１呼出信号、再呼出信号およびバック・トーン信号が減少するのを防ぐためのインピーダンス・マッチング部と、
を含む４線方式のビデオ・フォーン。
【請求項６】
請求項１に記載の４線方式のビデオ・フォーンにおいて、
呼出検出部は、
内側から伝送された第１呼出信号を検出するための第１呼出検出部と、
第１呼出信号発生以後呼出スイッチの動作に従って発生される再呼出信号を検出するための再呼出検出部と、
を含む４線方式のビデオ・フォーン。
【請求項７】
請求項１に記載の４線方式のビデオ・フォーンにおいて、
呼出音出力部は、
マイコン部の制御を通じて呼出音を発生するための呼出音発生部と、
上記呼出音発生部から出力された呼出音を増幅して内側スピーカーに提供する呼出音増幅部と、
を含む４線方式のビデオ・フォーン。
【請求項８】
請求項１に記載の４線方式のビデオ・フォーンにおいて、
音声出力部は、
外側から伝送された音声信号と内側から入力された音声信号を相互処理するための内側音声ハイブリッド部と、
外側から内側に伝達された音声信号と内側マイクから入力された音声信号のレベルを比較して高い音声信号は通過および増幅させるが低いレベルの音声信号は遮断させる音声スイッチング増幅部と、
上記音声スイッチング増幅部から出力された音声信号を増幅して内側スピーカーに出力するための音声増幅部と、
を含む４線方式のビデオ・フォーン。
【請求項９】
請求項１に記載の４線方式のビデオ・フォーンにおいて、
映像出力部は、
外側から１８０°の位相差の映像信号に分離されて提供された映像（＋）と映像（−）信号で受信して同じ位相差である外部および音声誘起された信号等は遮断し、１８０°位相差である映像信号だけ通過させて一つの映像信号に結合する映像信号受信部と、
上記映像信号受信部から出力された映像信号を内側使用者に提供するためのＬＣＤモジュールと、
を含む４線方式のビデオ・フォーン。
【発明の詳細な説明】
【技術分野】
【０００１】
本発明はビデオ・フォーンに関するものであって、さらに詳しくは、外側部と内側部の連結線路に位相差が１８０°である映像信号を分離して伝送しその外の音声およびその他の信号を伝送する４線方式のビデオ・フォーンに関するものである。
【背景技術】
【０００２】
一方、内側と外側間の信号を伝送する連結線路は４線式に構成されるが、図１は従来のビデオ・フォーンの４線式連結線路における信号の伝達状態を示す図面である。
【０００３】
図示されたように、第１連結線路は電源を供給し、第２連結線路は接地端である。第３連結線路は音声、呼出およびドア開閉信号を伝送し、第４線路は外側のカメラを通じて撮影された映像信号が伝送される。
【０００４】
しかし、従来の内側と外側間の連結線路中第４連結線路を通じて送信される映像信号は第３連結線路に誘起されカメラおよびモニターのスピーカーに音声ノイズ形態が発生する問題点がある。
【０００５】
従って、上記のような音声ノイズが発生しないようにするために、第４連結線路を通じて送信される映像信号の出力レベルを低くしなければならないが、それに従って内側に備えられたモニターでは外側のカメラを通じて撮影された映像が正確に正しく再現され難い。
【０００６】
さらに、外側のカメラと内側のモニター間の連結線路の長さが３０ｍ以上（厚さ０．６５ｍｍ）の場合、第３連結線路の音声信号が第４連結線路に誘起され内側モニターの映像に縞形態のノイズが発生する問題点がある。
【０００７】
従って、上記のような縞形態のノイズが発生されないようにするためには、外側のカメラと内側のモニター間の連結線路の長さを３０ｍ以上に延長することはできない。併せて、音声信号の出力レベルを高めることができないため音声の感度が劣り外側のカメラ、モニタースピーカーに音声ノイズが発生するようになる。
【発明の開示】
【発明が解決しようとする課題】
【０００８】
本発明は上記のような問題点を解決するために創出されたものであって、内側と外側の第３連結線路および第４連結線路を通じて位相差が１８０°である（＋）、（−）映像信号に分離して伝送することにより映像信号間の誘起によって発生されるノイズを防ぐための４線方式のビデオ・フォーンを提供することにその目的がある。
【０００９】
本発明の他の目的および長所等は下記に説明され、本発明の実施例によって分かるようになるであろう。さらに、本発明の目的および長所等は特許請求範囲に表した手段および組合せによって実現されることができる。
【課題を解決するための手段】
【００１０】
上記の目的を達成するため、本発明は、内側から提供された電源電圧Ｖｃｃを一定電圧に保持するための外側電源部と、外側から入力される呼出音を内側に提供するための外側呼出部と、外側から入力される音声信号と内側から伝送される音声信号とを相互処理するための外側音声ハイブリッド部と、上記外側音声ハイブリッド部から伝送された音声信号および外側呼出部から伝送された呼出音信号を混合して内側に伝送するための外側信号混合部と、外側のＬＥＤ（Ｌｉｇｈｔ  Ｅｍｉｔｔｉｎｇ  Ｄｉｏｄｅ）を制御するためのＬＥＤ制御部と、外側から撮影された映像信号を内側に伝送するための映像入力部と、内側から伝送されたドア開閉信号を遂行するためのドア開閉部を含む外側部とで構成される。
【００１１】
さらに、本発明は、電源電圧Ｖｃｃを提供するための内側電源部と、外側から提供された呼出音信号を検出するための呼出検出部と、上記呼出検出部から検出された呼出信号を通じて呼出音が生成されるように制御するマイコン部と、内側の音声信号、バック・トーン信号および電源電圧Ｖｃｃを混合して外側に伝送するための内側信号混合部と、上記マイコン部の制御によって呼出音を生成し内側スピーカーに出力するための呼出音出力部と、上記呼出音出力部から提供された呼出音信号をバック・トーン信号に増幅するためのバック・トーン増幅部と、外側から提供された音声信号を上記スピーカーに出力し内側から入力された音声信号を外側に伝送するための音声出力部と、ドア開閉信号を伝送するためのドア開閉信号部と、外側から分離され入力された映像信号を受信してＬＣＤ（Ｌｉｑｕｉｄ  Ｃｒｙｓｔａｌ  Ｄｉｓｐｌａｙ）モジュールに提供するための映像出力部を含む内側部で構成される。
【発明の効果】
【００１２】
本発明の４線式方式のビデオ・フォーンは映像信号伝送時、音声信号に映像信号が誘起されノイズが発生する既存のドア・フォーンに比べて映像信号を、位相差が１８０°であり、映像信号レベルが０．５Ｖｐｐである映像（＋）と映像（−）信号にそれぞれ分けて内側に伝達して、映像信号と音声信号とが互いに干渉しないためノイズが発生しないし、連結線路の長さを最高３００ｍまで延長して映像信号を伝達する効果を提供する。
【００１３】
さらに、内側と外側の第１連結線路を通じて第１呼出信号と再呼出信号と音声信号等の多様な信号を伝送する効果を提供する。
【発明を実施するための最良の形態】
【００１４】
以下では添付された図面を参照して本発明の好ましい実施例を詳しく説明することにする。これに先だって、本明細書および請求範囲に使用された用語や単語は通常的であるか辞典的な意味に限定して解釈されてはならないし、発明者は彼自身の発明を最も最善の方法で説明するために用語の概念を適切に定義することができるという原則に立脚して本発明の技術的思想に符合する意味と概念に解釈されるべきである。
【００１５】
従って、本明細書に記載された実施例と図面に示された構成は本発明の最も好ましき実施例に過ぎないし、本発明の技術的思想を全てを代弁するものではないので、本出願時点においてこれらを代替し得る多様な均等物と変形例等があり得ることを理解すべきである。
【００１６】
以下添付された図面を参照しながら本発明に基づく好ましき実施例を詳しく説明することにする。
【００１７】
図２は本発明に基づくビデオ・フォーンの外側部の構成を示す図面である。図示されたように、外側部は、外側電源部２１０と、外側呼出部２２０と、外側音声ハイブリッド部２３０と、外側信号混合部２４０と、白色ＬＥＤ制御部２５０と、映像入力部２６０と、ドア開閉部２７０とを含む。
【００１８】
外側電源部２１０は、内側から提供される電源電圧Ｖｃｃから＋５Ｖまたは−５Ｖの電圧が発生されるように構成される。
【００１９】
外側電源部２１０は、電源電圧Ｖｃｃの電圧が＋５Ｖまたは−５Ｖの電圧が一定に保持されるように制御する電圧調整部２１１と、インピーダンスが低い電源回路から音声信号、第１呼出信号、再呼出信号およびバック・トーン信号が減少するのを防ぐためのインピーダンス・マッチング部および安定化された直流電源を供給するように制御する直流電源制御部２１３を含む。
【００２０】
外側呼出部２２０は使用者によって外側から入力される呼出信号を呼出検出部３３０に伝送するように構成される。外側呼出部２２０は呼出スイッチ２２１、第１呼出信号を発生する第１呼出信号部２２２、上記第１呼出信号が発生された以後に上記呼出スイッチ２２１の動作によって再呼出信号を発生する再呼出信号部２２３を含む。
【００２１】
外側音声ハイブリッド部２３０はマイクを通じて入力される音声入力信号と内側から提供される音声出力信号をスピーカーを通じて使用者に提供するように構成される。
【００２２】
外側信号混合部２４０はマイクを通じて上記外側音声ハイブリッド部２３０に入力される音声信号、上記外側呼出部２２０から提供される第１呼出信号、再呼出信号を混合して内側に伝送し、内側から提供されるバック・トーン信号、電源電圧Ｖｃｃを外側に提供するように構成される。
【００２３】
ＬＥＤ制御部２５０は外側に明るさが約７Ｌｕｘ以下または夜間の条件で呼出すと外側に電源電圧Ｖｃｃが印加されカメラモジュールから撮影された映像信号が内側に伝達され使用者の顔がＬＣＤモジュールに出力されるとき、使用者の顔を識別できるようにＬＥＤを制御するように構成される。
【００２４】
映像入力部２６０は外側から入力された映像信号を位相差が１８０°である（＋）、（−）映像信号に、それぞれ分離させて内側に提供するように構成される。
【００２５】
映像入力部２６０は外側の映像を撮影するためのカメラモジュール２６１、上記カメラモジュール２６１から撮影された映像信号を位相差が１８０°である（＋）、（−）映像信号に分離してそれぞれ映像信号レべルを０．５Ｖｐｐに低くして、分離伝送する映像信号送信部２６２を含む。
【００２６】
図２の構成に基づく動作の説明は次のとおりである。内側から第１連結線路を通じて直流電源形態の電源電圧Ｖｃｃが外側に提供されると外側信号混合部２４０を経て上記電源電圧Ｖｃｃが外側電源部２１０に提供される。
【００２７】
直流電源制御部２１３に印加された電源電圧Ｖｃｃはインピーダンスマッチング部２１２を経て電圧調整部２１１から＋５Ｖと−５Ｖに出力され、この時、第２連結線路は接地状態になる。
【００２８】
使用者が外側部にカメラに接近して呼出スイッチ２２１を押すと第１連結線路上に待機時、＋５Ｖ電圧が＋３Ｖに減少され電圧の変動に応じて内側の第１呼出検出部３３１から第１呼出信号に認識してマイコン部３４０に信号を伝達する。以後、マイコン部３４０は内側電源部３１０に信号を伝達して第１連結線路に電源電圧Ｖｃｃ（約＋１３Ｖ）を供給するように制御する。
【００２９】
外側電源部２１０では直流電源制御部２１３が動作しながら電圧調整部２１１から＋５Ｖと−５Ｖ電圧を出力し、それに応じて映像入力部２６０が動作しながらカメラモジュール２６１を通じて撮影された使用者の映像信号が映像信号送信部２６２に入力される。
【００３０】
この時、入力される映像信号は位相差が１８０°である（＋）、（−）信号に分離され第３連結線路および第４連結線路を通じて内側に伝達されＬＣＤモジュールに外側から撮影された使用者の映像が出力される。
【００３１】
一方、外側の使用者が呼出スイッチ２２１を再び押すと再呼出部２２３から約３２ｋＨｚの周波数が発生して外側信号混合部２４０と第１連結線路を通じて内側に伝達される。
【００３２】
内側の再呼出検出部３３２から上記外側から伝送された再呼出信号を検出してマイコン部に提供し、内側の使用者が通話スイッチを押すと、内側と外側間の連結が行われ音声通話状態になる。
【００３３】
この時、上記使用者がマイクを通じて音声信号を入力すると、外側音声ハイブリッド部２３０から処理を通じて外側信号混合部２４０を経て内側に音声信号が伝送される。
【００３４】
一方、内側のドア開閉信号出力部３８０から第３連結線路を通じて外側にドア開閉信号を伝達すると外側のドア開閉部２７０から伝送されたドア開閉信号を検出して外側のドア開閉器を駆動させる。
【００３５】
図３は本発明に基づくビデオ・フォーンの内側部の構成を示す図面である。図示されたように、内側部３００は内側電源部３１０と、内側信号混合部３２０と、呼出検出部３３０と、マイコン部３４０と、呼出音出力部３５０と、バック・トーン増幅部３６０と、音声出力部３７０と、ドア開閉信号出力部３８０と映像出力部３９０とを含む。
【００３６】
内側電源部３１０は駆動のための電源を供給するように構成されるが、電源が発生される電源供給部３１３と、上記電源供給部３１３から出力された電源が外側部に供給されるように制御する直流電源制御部３１２およびインピーダンスが低い電源回路から音声信号、第１呼出信号、再呼出信号およびバック・トーン信号が減少されるのを防ぐためのインピーダンス・マッチング部を含む。
【００３７】
内側信号混合部３２０は外側から伝送された呼出信号を呼出検出部３３０に提供し、バックトーン増幅部３６０から提供されるバック・トーン信号、音声出力部３７０から提供される内側音声信号および内側電源部３１０から提供される電源電圧Ｖｃｃを混合して外側に提供するように構成される。
【００３８】
呼出検出部３３０は外側から伝送された呼出信号を検出するように構成されるが、最初の呼出信号を検出するための第１呼出検出部３３１と、第１呼出信号発生以後の呼出スイッチ２２１の動作に応じて発生される再呼出信号を検出するための再呼出検出部３３２を含む。
【００３９】
マイコン部３４０は上記呼出検出部３３０から出力される検出信号に応じて内側スピーカーに提供される呼出音発生のために呼出音出力部３５０を制御するように構成される。
【００４０】
呼出音出力部３５０は上記マイコン部３４０の制御を通じて呼出音を発生し、内側スピーカーを通じて呼出音を出力するように構成されるが、上記マイコン部３４０の外側からの呼出音検出信号に応じて内側スピーカーに出力される呼出音を発生する呼出音発生部３５１、上記呼出音発生部３５１から出力された呼出音を増幅して内側スピーカーに出力する呼出音増幅部３５２を含む。
【００４１】
バック・トーン増幅部３６０は上記呼出音出力部３５０の呼出音発生によるバック・トーン信号を増幅して外側に伝送するように構成される。
【００４２】
音声出力部３７０は外側から伝送された音声信号を内側スピーカーに出力し内側マイクを通じて入力された音声信号を外側に伝送するように構成される。
【００４３】
音声出力部３７０は外側から伝送された音声信号と内側から入力された音声信号を相互処理するための内側音声ハイブリッド部３７１、外側から内側に伝達された音声信号と内側マイクから入力された音声信号とのレベルを比較して高い音声信号は通過および増幅させ、低いレベルの音声信号は遮断させる音声スイッチング増幅部３７２および上記音声スイッチング増幅部３７２から出力された音声信号を増幅して内側スピーカーに出力するための音声増幅部３７３を含む。
【００４４】
ドア開閉信号出力部３８０は外側のドアを開閉するように開閉信号を外側に提供するように構成される。
【００４５】
映像出力部３９０は外側から分離されて提供される映像信号を受信して内側のＬＣＤモジュールに提供するように構成されるが、外側から分離されて提供された映像（＋）と映像（−）信号を受信して同じ位相差の外部および音声誘起された信号等は遮断し、１８０°位相差の映像信号だけ通過させ、一つの映像信号に結合する映像信号受信部３９１および上記映像信号受信部３９１から出力される映像信号を内側の使用者に提供するためのＬＣＤモジュール３９２を含む。
【００４６】
図３の構成に基づく動作の説明は次のとおりである。待機状態から内側電源部３１０の電源供給部３１３では内側に第１連結線路を通じて＋５Ｖを提供し、外側から第１呼出信号をマイコン部３４０から検出すると内側電源部３１０の直流電源制御部３１２では電源制御信号を伝達して外側に電源電圧Ｖｃｃを提供して内側に電源電圧Ｖｃｃを提供する。
【００４７】
一方、外側から第１連結線路を通じて第１呼出信号が第１呼出検出部３３１から検出されるとマイコン部３４０に第１呼出信号の検出信号が提供される。さらに、第１連結線路を通じて再呼出信号が再呼出検出部３３２から検出されるとマイコン部３４０に再呼出信号の検出信号が提供される。
【００４８】
上記マイコン部３４０では検出信号に応じてバック・トーン信号をバック・トーン増幅部３６０を通じて内側信号混合部３２０を経由した後、外側に伝達するように制御し併せて呼出音出力部３５０にも出力信号を提供する。
【００４９】
上記マイコン部３４０から出力信号が呼出音出力部３５０の呼出音発生部３５１に提供されると内側スピーカーに提供するための呼出音信号を発生させる。
【００５０】
上記呼出音発生部３５１から提供された呼出音信号は呼出音増幅部３５２を経て内側スピーカーに出力され使用者に提供される。そして外側から提供される音声信号は内側信号混合部３２０を通過した後、音声出力部３７０の内側音声ハイブリッド部３７１に入力される。
【００５１】
入力された外側の音声信号は上記内側音声ハイブリッド部３７１と音声スイッチング増幅部３７２を通過した後、最終的に音声増幅部３７３から増幅が行われる。上記増幅された音声信号は内側スピーカーを通じて使用者に出力される。
【００５２】
一方、内側マイクを通じて入力された使用者の音声信号は音声スイッチング増幅部３７２と内側音声ハイブリッド部３７１を通じて処理された後、内側信号混合部３２０を経て外側スピーカーを通じて出力される。ドア開閉信号出力部３８０は第３連結線路を通じてドア開閉信号を外側に提供する。
【００５３】
外側から分離され第３連結線路および第４連結線路を通じて入力される映像（＋）と映像（−）信号は映像出力部３９０の映像信号受信部３９１を通じて一つの映像信号に統合され、上記統合された映像信号はＬＣＤモジュール３９２を通じて内側使用者に提供される。
【００５４】
以上のように、本発明は限定された実施例と図面によって説明されたが、本発明はこれによって限定されることはないし、本発明が属する技術分野で通常の知識を有する者によって本発明の技術思想と上に記載された特許請求範囲の均等範囲内で多様な修正および変形が可能であることは勿論である。
【図面の簡単な説明】
【００５５】
【図１】従来のビデオ・フォーン連結線路における信号伝送状態図。
【図２】本発明に基づくビデオ・フォーンの外側部構成図。
【図３】本発明に基づくビデオ・フォーンの内側部構成図。
【図４】本発明に基づくビデオ・フォーン連結線路における信号伝送状態図である。
【符号の説明】
【００５６】
２００  外側部
２１０  外側電源部
２２０  外側呼出部
２３０  外側音声ハイブリッド部
２４０  外側信号混合部
２５０  ＬＥＤ制御部
２６０  映像入力部
２７０  ドア開閉部
３００  内側部
３１０  内側電源部
３２０  内側信号混合部
３３０  呼出検出部
３４０  マイコン部
３５０  呼出音出力部
３６０  バック・トーン増幅部
３７０  音声出力部
３８０  ドア開閉信号部
３９０  映像出力部
【図１】
2008092513.tif 000003
【図２】
2008092513.tif 000004
【図３】
2008092513.tif 000005
【図４】
2008092513.tif 000006